【手続補正書】
【提出日】平成30年7月10日(2018.7.10)
【手続補正１】
【補正対象書類名】特許請求の範囲
【補正対象項目名】全文
【補正方法】変更
【補正の内容】
【特許請求の範囲】
【請求項１】
光源およびセンサを有する読み取りユニットと、前記センサのホームポジションを検知するためのマークとを有する画像読取装置であって、
第１の光量で前記光源が点灯している状態で、前記センサが主走査ラインを読み取ることで得られる第１のデータ、および、前記第１の光量より低い第２の光量で前記光源が点灯している状態あるいは前記光源が消灯している状態で、前記センサが前記主走査ラインを読み取ることで得られる第２のデータ、を取得する取得手段と、
前記第１のデータの値と前記第２のデータの値との差分に基づいて差分データを生成する生成手段と、
前記差分データに基づき、前記主走査ライン上で前記マークを検知できたかを判定する判定手段と
を備えることを特徴とする画像読取装置。
【請求項２】
前記判定手段は、
前記差分データに基づき、主走査方向における所定の位置を示す判定ポイントに対応する画素が第１の色画素であるか否かを判定し、
前記差分データに基づき、主走査方向における該判定ポイントとは別の判定ポイントに対応する画素が第２の色画素であるか否かを判定する
ことを特徴とする請求項１に記載の画像読取装置。
【請求項３】
前記所定の位置を示す判定ポイントに対応する画素が前記第１の色画素であり、且つ、該判定ポイントとは別の判定ポイントに対応する画素が前記第２の色画素である、と判定された場合、前記判定手段は、前記主走査ライン上で前記マークを検知できたと判定することを特徴とする請求項２に記載の画像読取装置。
【請求項４】
光源およびセンサを有する読み取りユニットと、前記センサのホームポジションを検知するためのマークとを有する画像読取装置であって、
前記センサが主走査ラインを読み取ることで得られる第１のデータ、および、前記センサが前記主走査ラインとは異なる主走査ラインを読み取ることで得られる第２のデータ、を取得する取得手段と、
前記第１のデータの値と前記第２のデータの値との差分に基づいて差分データを生成する生成手段と、
前記差分データに基づき、前記異なる主走査ライン上で前記マークを検知できたかを判定する判定手段と
を備えることを特徴とする画像読取装置。
【請求項５】
前記判定手段は、
前記差分データに基づき、主走査方向における所定の位置を示す判定ポイントに対応する画素が第１の色画素であるか否かを判定する
ことを特徴とする請求項４に記載の画像読取装置。
【請求項６】
前記所定の位置を示す判定ポイントに対応する画素が前記第１の色画素であり、且つ、該判定ポイントとは別の判定ポイントに対応する画素が前記第１の色画素ではない、と判定された場合、前記判定手段は、前記異なる主走査ライン上で前記マークを検知できたと判定することを特徴とする請求項５に記載の画像読取装置。
【請求項７】
前記第１および前記第２のデータを取得するために、第１の光量で前記光源が点灯している状態での読み取り処理と、前記第１の光量より低い第２の光量で前記光源が点灯している状態あるいは前記光源が消灯している状態での読み取り処理とが実行されることを特徴とする請求項４乃至６のいずれか１項に記載の画像読取装置。
【請求項８】
前記判定手段による判定処理の回数が、前記センサが移動可能なライン数に対応する数を超えていると判定された場合、エラー情報を表示する表示制御手段を更に備えることを特徴とする請求項１乃至７のいずれか１項に記載の画像読取装置。
【請求項９】
印刷データに基づいて印刷を実行する印刷制御手段を更に備えることを特徴とする請求項１乃至８のいずれか１項に記載の画像読取装置。
【請求項１０】
光源およびセンサを有する読み取りユニットと、前記センサのホームポジションを検知するためのマークとを有する画像読取装置で実行される画像読取方法であって、
第１の光量で前記光源が点灯している状態で、前記センサが主走査ラインを読み取ることで得られる第１のデータ、および、前記第１の光量より低い第２の光量で前記光源が点灯している状態あるいは前記光源が消灯している状態で、前記センサが前記主走査ラインを読み取ることで得られる第２のデータ、を取得する取得ステップと、
前記第１のデータの値と前記第２のデータの値との差分に基づいて差分データを生成する生成ステップと、
前記差分データに基づき、前記主走査ライン上で前記マークを検知できたかを判定する判定ステップと
を備えることを特徴とする画像読取方法。
【請求項１１】
前記判定ステップにおいて、
前記差分データに基づき、主走査方向における所定の位置を示す判定ポイントに対応する画素が第１の色画素であるか否か判定され、
前記差分データに基づき、主走査方向における該判定ポイントとは別の判定ポイントに対応する画素が第２の色画素であるか否か判定される
ことを特徴とする請求項１０に記載の画像読取方法。
【請求項１２】
前記所定の位置を示す判定ポイントに対応する画素が前記第１の色画素であり、且つ、該判定ポイントとは別の判定ポイントに対応する画素が前記第２の色画素である、と判定された場合、前記判定ステップにおいて、前記主走査ライン上で前記マークを検知できたと判定されることを特徴とする請求項１１に記載の画像読取方法。
【請求項１３】
光源およびセンサを有する読み取りユニットと、前記センサのホームポジションを検知するためのマークとを有する画像読取装置で実行される画像読取方法であって、
前記センサが主走査ラインを読み取ることで得られる第１のデータ、および、前記センサが前記主走査ラインとは異なる主走査ラインを読み取ることで得られる第２のデータ、を取得する取得ステップと、
前記第１のデータの値と前記第２のデータの値との差分に基づいて差分データを生成する生成ステップと、
前記差分データに基づき、前記異なる主走査ライン上で前記マークを検知できたかを判定する判定ステップと
を備えることを特徴とする画像読取方法。
【請求項１４】
前記判定ステップにおいて、
前記差分データに基づき、主走査方向における所定の位置を示す判定ポイントに対応する画素が第１の色画素であるか否か判定される
ことを特徴とする請求項１３に記載の画像読取方法。
【請求項１５】
前記所定の位置を示す判定ポイントに対応する画素が前記第１の色画素であり、且つ、該判定ポイントとは別の判定ポイントに対応する画素が前記第１の色画素ではない、と判定された場合、前記判定ステップにおいて、前記異なる主走査ライン上で前記マークを検知できたと判定されることを特徴とする請求項１４に記載の画像読取方法。
【請求項１６】
前記第１および前記第２のデータを取得するために、第１の光量で前記光源が点灯している状態での読み取り処理と、前記第１の光量より低い第２の光量で前記光源が点灯している状態あるいは前記光源が消灯している状態での読み取り処理とが実行されることを特徴とする請求項１３乃至１５のいずれか１項に記載の画像読取方法。
【請求項１７】
前記判定ステップにおける判定処理の回数が、前記センサが移動可能なライン数に対応する数を超えていると判定された場合、エラー情報を表示するステップを更に備えることを特徴とする請求項１０乃至１６のいずれか１項に記載の画像読取方法。
【請求項１８】
印刷データに基づいて印刷を実行するステップを更に備えることを特徴とする請求項１０乃至１７のいずれか１項に記載の画像読取方法。
【請求項１９】
コンピュータに、請求項１０または請求項１３に記載の方法を実行させるための、プログラム。
【手続補正２】
【補正対象書類名】明細書
【補正対象項目名】０００６
【補正方法】変更
【補正の内容】
【０００６】
本発明は、光源およびセンサを有する読み取りユニットと、前記センサのホームポジションを検知するためのマークとを有する画像読取装置であって、第１の光量で前記光源が点灯している状態で、前記センサが主走査ラインを読み取ることで得られる第１のデータ、および、前記第１の光量より低い第２の光量で前記光源が点灯している状態あるいは前記光源が消灯している状態で、前記センサが前記主走査ラインを読み取ることで得られる第２のデータ、を取得する取得手段と、前記第１のデータの値と前記第２のデータの値との差分に基づいて差分データを生成する生成手段と、前記差分データに基づき、前記主走査ライン上で前記マークを検知できたかを判定する判定手段とを備えることを特徴とする画像読取装置である。